(57)【要約】【課題】仮溶接および高エネルギー溶接の製造過程の前にヘッド本体とフェース板の組立を迅速かつ精確に完成することができ、組立の便利性を高めることができると共に、溶接の製造過程を簡単にすることができるゴルフクラブヘッドのフェース板の溶接構造を提供する。【解決手段】ヘッド本体の開口部の周縁には充填剤フランジが形成されると共に、充填剤フランジには複数個の係止凹欠部と検査用凹欠部が凹設され、フェース板の上表面には複数本の支持棒が固設される。組立時に支持棒が係止凹欠部に対応して係止することにより、フェース板を支持することができる。検査用凹欠部はフェース板の水平の組立を検査するのに用いられ、仮溶接および高エネルギー溶接の製造過程の前にヘッド本体とフェース板の組立を迅速かつ精確に完成でき、さらに仮溶接後にフェース板の水平の組立を検査することができるように構成されている。【選択図】    図１
2004201879.tif 000002
【特許請求の範囲】
【請求項１】
ヘッド本体（１０）およびフェース板（２０）により構成されるゴルフクラブヘッドのフェース板の溶接構造であって、ヘッド本体（１０）の正面には開口部（１１）が設けられ、開口部（１１）の周縁には充填剤フランジ（１２）が形成されると共に、充填剤フランジ（１２）には複数個の係止凹欠部（１２１）が凹設され、フェース板（２０）の上表面には複数本の支持棒（２１）が固設され、支持棒（２１）は組立時において係止凹欠部（１２１）に対応して係止するのに用いられることにより、フェース板（２０）を支持することができるため、高エネルギー溶接の製造過程の前にヘッド本体（１０）とフェース板（２０）との組立を迅速かつ精確に完成することができることを特徴とするゴルフクラブヘッドのフェース板の溶接構造。
【請求項２】
ヘッド本体（１０）の充填剤フランジ（１２）には他に複数個の検査用凹欠部（１２２）が凹設され、検査用凹欠部（１２２）によってフェース板（２０）の水平の組立を検査することができることを特徴とする請求項１記載のゴルフクラブヘッドのフェース板の溶接構造。
【請求項３】
充填剤フランジ（１２）の外側には傾斜面（１２３）が形成されることを特徴とする請求項１記載のゴルフクラブヘッドのフェース板の溶接構造。
【請求項４】
充填剤フランジ（１２）には四個の検査用凹欠部（１２２）が凹設され、検査用凹欠部（１２２）は充填剤フランジ（１２）の上、下、左、右の四つの方位に対称して設置されることを特徴とする請求項１記載のゴルフクラブヘッドのフェース板の溶接構造。
【請求項５】
充填剤フランジ（１２）には四個の係止凹欠部（１２１）が凹設され、係止凹欠部（１２１）は隣接の検査用凹欠部（１２２）の間に対称するように設置されることを特徴とする請求項２または４記載のゴルフクラブヘッドのフェース板の溶接構造。
【請求項６】
充填剤フランジ（１２）には四個の係止凹欠部（１２１）が凹設され、係止凹欠部（１２１）は充填剤フランジ（１２）の上、下、左、右の四つの方位に対称して設置されることを特徴とする請求項１記載のゴルフクラブヘッドのフェース板の溶接構造。
【請求項７】
充填剤フランジ（１２）には四個の検査用凹欠部（１２２）が凹設され、検査用凹欠部（１２２）は隣接の係止凹欠部（１２１）の間に対称するように設置されることを特徴とする請求項２または６記載のゴルフクラブヘッドのフェース板の溶接構造。
【請求項８】
係止凹欠部（１２１）の幅は１．５±０．２ｍｍであることを特徴とする請求項１記載のゴルフクラブヘッドのフェース板の溶接構造。
【請求項９】
検査用凹欠部（１２２）の幅は１．０±０．２ｍｍであることを特徴とする請求項１記載のゴルフクラブヘッドのフェース板の溶接構造。
【請求項１０】
支持棒（２１）は溶接の方式によってフェース板（２０）の上表面に固設されることを特徴とする請求項１記載のゴルフクラブヘッドのフェース板の溶接構造。
【請求項１１】
支持棒（２１）は一体成形の方式によってフェース板（２０）の上表面に固設されることを特徴とする請求項１記載のゴルフクラブヘッドのフェース板の溶接構造。
【請求項１２】
検査用凹欠部（１２２）は外へ向かって拡張して扇形に形成されることにより、水平の可視範囲を拡大することができることを特徴とする請求項１記載のゴルフクラブヘッドのフェース板の溶接構造。
【発明の詳細な説明】
【０００１】
【発明の属する技術分野】
本発明は、ゴルフクラブヘッドのフェース板の溶接構造に関するもので、特にヘッド本体の充填剤フランジの周縁に係止凹欠部と検査用凹欠部が形成され、さらにフェース板の表面に支持棒が固設されることにより、フェース板を固く支持すると共に、フェース板の水平の組立を検査することができるゴルフクラブヘッドのフェース板の溶接構造に係るものである。
【０００２】
【従来の技術】
従来この種のものにあっては、下記のようなものになっている。
【０００３】
ゴルフクラブの業界において、ゴルフクラブヘッドとフェース板との溶接方法として、従来のタングステンイナートガスアーク溶接（tungsten inert gas arcwelding、TIG）から段々と高エネルギー溶接を使用するようになった。例えば、レーザービーム溶接（laser beam welding、LBW）またはプラズマアーク溶接（plasma arc welding、PAW）を使用するようになった。そして、高エネルギー溶接の製造過程を利用してゴルフクラブヘッドとフェース板を製造する場合、ゴルフクラブヘッドとフェース板は溶接の特性に応じて設計を変えなければならない。
【０００４】
従来の高エネルギー溶接の製造過程を利用したゴルフクラブヘッドのフェース板の溶接構造として、図４、５に示すように、主に高エネルギー溶接（ＬＢＷとＰＡＷを含む）における熱エネルギーの集中と熱透過性が高いという特性を利用し、ヘッド本体１０とフェース板２０を適当な組立の配合によって溶接を行うものである。ヘッド本体１０の正面には開口部１１が設けられ、開口部１１の周縁から外へ向かって充填剤フランジ１２が延伸して形成され、さらにフェース板２０がヘッド本体１０の開口部１１に組立てられた時、両者の間には僅か１ｍｍの隙間が形成される。上記組立の配合の設計によって高エネルギー溶接を利用して充填剤フランジ１２を熔融することによって充填剤１３が形成され、充填剤１３によってヘッド本体１０とフェース板２０は結合することができるように構成されている。
【０００５】
また、従来のゴルフクラブヘッドのフェース板の溶接構造として、ヘッドの本体を型に固定させ、加工機械を利用してそれぞれ本体と組合せ体の接合部を加工することにより、接合部を精確なサイズに仕上げ、本体と接合しようとする組合せ体を本体の接合部を位置決めさせ、第一回目の溶接時においてレーザービームの行進の軌跡を確認してから設定し、再び本体と組合せ体のとの間の接合部をレーザー溶接の方法によって溶接して固定するようにとしたものがある（例えば、特許文献１を参照）。
【０００６】
【特許文献１】
中華民国発明公告番号第５００６４８号
【０００７】
【発明が解決しようとする課題】
上記従来のゴルフクラブヘッドのフェース板の溶接構造においては、ヘッド本体１０とフェース板２０は高エネルギー溶接の製造過程に適用されると共に、溶接道の幅が比較的小さく、溶接深さが比較的深く、溶接品質が比較的よい等の利点を有している。しかし、ヘッド本体１０とフェース板２０の隙間（許容度）が小さ過ぎるため、両者が仮溶接（点溶接）および高エネルギー溶接を行う前における初歩な組立の配合を行う時、フェース板２０はヘッド本体１０の正面に対して表面が内へ、外へ向かって傾斜したり偏移したりし易くなるため、このような状況は仮溶接後に即時校正し改善しなければ、高エネルギー溶接後においてフェース板２０の表面が永久に偏移してしまい、さらにゴルフクラブヘッドの完成品の全体の良品率が下がってしまうという問題点があった。そのために、上記従来のゴルフクラブヘッドのフェース板の溶接構造をさらに改良しなければならない。
【０００８】
また、上記従来のゴルフクラブヘッドのフェース板の溶接構造においては、レーザー溶接の方法によって本体と組合せ体との間の接合部を溶接し固定することができるが、第一回目の溶接時に先ずレーザービームの行進の軌跡を確認しなけらばならず、作業上において比較的不便であり、また、本体とフェース板との結合には傾斜したり偏移したりし易くなるため、ゴルフクラブヘッドの完成品の全体の良品率が下がってしまうという問題点があった。そのために、上記従来のゴルフクラブヘッドのフェース板の溶接構造をさらに改良しなければならない。
【０００９】
本発明は、このような問題点に鑑みて発明したものであって、その目的とするところは、ヘッド本体の充填剤フランジには複数個の係止凹欠部と検査用凹欠部が形成され、さらにフェース板の表面には複数本の支持棒が固設され、係止凹欠部、検査用凹欠部と支持棒によって安定した支持とフェース板の水平の組立の検査ができるという効果を提供することができるため、仮溶接および高エネルギー溶接の製造過程の前にヘッド本体とフェース板との組立を迅速かつ精確に完成することができると共に、仮溶接後に両者の水平の組立を検査することができるゴルフクラブヘッドのフェース板の溶接構造を提供しようとするものである。
【００１０】
本発明の第一の目的は、ヘッド本体の充填剤フランジには複数個の係止凹欠部が形成され、さらにフェース板の表面には複数本の支持棒が固設されることにより、仮溶接および高エネルギー溶接の製造過程の前にヘッド本体とフェース板との組立を迅速かつ精確に完成することができるため、組立の便利性を高めることができると共に、溶接の製造過程を簡単にすることができるゴルフクラブヘッドのフェース板の溶接構造を提供しようとするものである。
【００１１】
本発明の第二の目的は、ヘッド本体の充填剤フランジには他に複数個の検査用凹欠部が形成されることにより、仮溶接の前にフェース板の水平の組立を検査することができるゴルフクラブヘッドのフェース板の溶接構造を提供しようとするものである。
【００１２】
本発明の第三の目的は、ヘッド本体の充填剤フランジの外側には傾斜面が形成されることにより、高エネルギー溶接によって充填剤フランジを熔融して充填剤に形成された時、充填剤は溶接位置の隙間に回流して充填することができるため、溶接の強度と品質を高めることができるゴルフクラブヘッドのフェース板の溶接構造を提供しようとするものである。
【００１３】
【課題を解決するための手段】
上記目的を達成するために、本発明によるゴルフクラブヘッドのフェース板の溶接構造は、下記のようになるものである。すなわち、
ヘッド本体およびフェース板により構成される。ヘッド本体の正面には開口部が設けられ、開口部の周縁には充填剤フランジが形成されると共に、充填剤フランジには複数個の係止凹欠部が凹設される。フェース板の上表面には複数本の支持棒が固設され、支持棒は組立時において係止凹欠部に対応して係止するのに用いられることにより、フェース板を支持することができるため、高エネルギー溶接の製造過程の前にヘッド本体とフェース板との組立を迅速かつ精確に完成することができる。
【００１４】
また、本発明のゴルフクラブヘッドのフェース板の溶接構造は、下記のように構成することもできる。
１．ヘッド本体の充填剤フランジには他に複数個の検査用凹欠部が凹設され、検査用凹欠部によってフェース板の水平の組立を検査することができる。
２．充填剤フランジの外側には傾斜面が形成される。
３．充填剤フランジには四個の検査用凹欠部が凹設され、検査用凹欠部は充填剤フランジの上、下、左、右の四つの方位に対称して設置される。
４．充填剤フランジには四個の係止凹欠部が凹設され、係止凹欠部は隣接の検査用凹欠部の間に対称するように設置される。
５．充填剤フランジには四個の係止凹欠部が凹設され、係止凹欠部は充填剤フランジの上、下、左、右の四つの方位に対称して設置される。
６．充填剤フランジには四個の検査用凹欠部が凹設され、検査用凹欠部は隣接の係止凹欠部の間に対称するように設置される。
７．係止凹欠部の幅は１．５±０．２ｍｍである。
８．検査用凹欠部の幅は１．０±０．２ｍｍである。
９．支持棒は溶接の方式によってフェース板の上表面に固設される。
１０．支持棒は一体成形の方式によってフェース板の上表面に固設される。
１１．検査用凹欠部は外へ向かって拡張して扇形に形成されることにより、水平の可視範囲を拡大することができる。
【００１５】
【発明の実施の形態】
本発明の実施の形態について、以下、図面を参照して説明する。
【００１６】
図１は本発明の実施形態１のゴルフクラブヘッドのフェース板の溶接構造による分解斜視図であり、図２は本発明の実施形態１のゴルフクラブヘッドのフェース板の溶接構造による組立てられた状態の斜視図であり、そして図３は本発明の実施形態２のゴルフクラブヘッドのフェース板の溶接構造による分解された状態の断面図である。
【００１７】
本考案のゴルフクラブヘッドのフェース板の溶接構造の一部分の部材は、前述した従来の技術におけるゴルフクラブヘッドのフェース板の溶接構造と同じであるため、同様な部分の部材に同様な符号を用いて標示し、その構造と機能については再び詳細に説明しない。
【００１８】
【実施形態１】
図１、２を参照すると、本発明の実施形態１のゴルフクラブヘッドのフェース板の溶接構造には主にヘッド本体１０およびフェース板２０が含まれる。ヘッド本体１０の開口部１１の周縁には充填剤フランジ１２が形成されると共に、充填剤フランジ１２には複数個の係止凹欠部１２１と複数個の検査用凹欠部１２２が形成され、さらにフェース板２０の表面には複数本の支持棒２１が固設される。組立時において、支持棒２１は係止凹欠部１２１に対応して嵌入されることにより、フェース板２０を支持することができる。検査用凹欠部１２２はフェース板２０の水平の組立を検査するのに用いられる。そのために、本発明において、仮溶接および高エネルギー溶接の製造過程の前にヘッド本体１０とフェース板２０との組立を迅速かつ精確に完成することができると共に、仮溶接後にフェース板２０の水平の組立が正確であるか否かを検査することができる。
【００１９】
再び図１、２を参照すると、本発明の実施形態１のゴルフクラブヘッドのヘッド本体１０およびフェース板２０の細部な構造が示される。通常としてヘッド本体１０は鉄、ステンレスまたは合金（例えばチタン合金）等の材料により製造される。ヘッド本体１０の正面には開口部１１が設けられ、充填剤フランジ１２は開口部１１の周縁から外へ向かって延伸するように形成される。充填剤フランジ１２の適当な位置には係止凹欠部１２１と検査用凹欠部１２２が凹設される。係止凹欠部１２１はフェース板２０の支持棒２１が嵌入するのに用いられる。検査用凹欠部１２２はフェース板２０の水平の組立を検査するのに用いられ、組立時において目視または計器でフェース板２０がヘッド本体１０に対してフェース板２０の表面に形成された水平の組立や傾斜、偏移の程度を検査用凹欠部１２２によって検査することができる。さらに、本発明の実施形態１において充填剤フランジ１２には四個の検査用凹欠部１２２が凹設され、四個の検査用凹欠部１２２は充填剤フランジ１２の上、下、左、右の四個の方位に対称するように設置される。同時に、充填剤フランジ１２には四個の係止凹欠部１２１が凹設され、四個の係止凹欠部１２１は隣接の検査用凹欠部１２２の間に対称するように設置される。また、本発明において使用上の需要性に応じて係止凹欠部１２１と検査用凹欠部１２２の排列の相対位置を互いに変えることができる。
【００２０】
再び図１、２を参照すると、フェース板２０は鉄、ステンレスまたは合金等の材料により製造され、特にチタン合金により製造される方が好適である。フェース板２０の外表面には複数本の支持棒２１が固設される。支持棒２１は溶接の方式でフェース板２０の上表面に固設されたり、または一体成形の方式でフェース板２０の上表面に直接形成されたりすることができる。組立時において、支持棒２１はヘッド本体１０の係止凹欠部１２１の内部に対応して嵌入されることにより、フェース板２０は安定してヘッド本体１０の開口部１１に支持されるため、後続の仮溶接および高エネルギー溶接の製造過程（例えば、ＰＡＷまたはＬＢＷ）を行うことができる。そして、仮溶接後に検査用凹欠部１２２によってフェース板２０とヘッド本体１０との組立の水平を検査することができる。
【００２１】
【実施形態２】
図３を参照すると、本発明の実施形態２のゴルフクラブヘッドのフェース板の溶接構造にはヘッド本体１０およびフェース板２０が含まれる。実施形態２のゴルフクラブヘッドのフェース板の溶接構造は同様に係止凹欠部１２１、検査用凹欠部１２２および支持棒２１によって安定した支持とフェース板２０の水平の組立の検査ができるという効果を提供することができ、さらに仮溶接および高エネルギー溶接の製造過程の前にヘッド本体１０とフェース板２０との組立を迅速かつ精確に完成することができると共に、仮溶接後に水平の組立を検査することができる。実施形態１と比べて、本発明の実施形態２はさらに進んで充填剤フランジ１２の外側には傾斜面１２３が形成され、傾斜面１２３によって高エネルギー溶接の製造過程において充填剤フランジ１２の内側で熔融して形成された充填剤１３（図５を参照）は、隙間に向かって回流する傾向を有するように形成されることにより、ヘッド本体１０とフェース板２０との隙間には充分な充填剤１３の量が確保されるため、溶接の強度と品質の需要性に符合することができる。
【００２２】
また、本発明の実施形態１、２において、ヘッド本体１０の肉厚が０．５ｍｍから４ｍｍの間に介在する場合、充填剤フランジ１２の長さと幅は１．５±０．２ｍｍと１．５±０．２ｍｍの間に維持する方が好適で、さらに係止凹欠部１２１の幅は１．５±０．２ｍｍの間に、検査用凹欠部１２２の幅は１．０±０．２ｍｍの間に維持する方が好適である。その他に、本発明において検査用凹欠部１２２は扇形に形成されることにより、扇形の検査用凹欠部１２２は開口部１１からヘッド本体１０の四周に拡張するように形成されるため、目視または計器による可視範囲をさらに拡大することができる。
【００２３】
再び図１、４を参照すると、本発明の実施形態のゴルフクラブヘッドのフェース板の溶接構造において、ヘッド本体１０の充填剤フランジ１２には複数個の係止凹欠部１２１と検査用凹欠部１２２が形成されるため、さらにフェース板２０には複数本の支持棒２１が固設されるため、係止凹欠部１２１、検査用凹欠部１２２および支持棒２１によって安定した支持とフェース板２０の水平の組立の検査ができるという効果を提供することができ、さらに仮溶接および高エネルギー溶接の製造過程の前にヘッド本体１０とフェース板２０との組立を迅速かつ精確に完成することができると共に、仮溶接後にフェース板２０の水平の組立を検査することができる。従来のゴルフクラブヘッドのフェース板の溶接構造と比較してみると、従来のゴルフクラブヘッドのフェース板の溶接構造のフェース板２０には組立てにくく、傾斜、偏移の検査が行い難いという問題点があった。本発明のゴルフクラブヘッドのフェース板の溶接構造によって組立の便利性を高めて溶接の製造過程を簡単にすることができると共に、フェース板の水平の組立を検査することができるという利点がある。
【００２４】
【発明の効果】
本発明のゴルフクラブヘッドのフェース板の溶接構造によれば、ヘッド本体の充填剤フランジには複数個の係止凹欠部が形成され、さらにフェース板の表面には複数本の支持棒が固設されることにより、仮溶接および高エネルギー溶接の製造過程の前にヘッド本体とフェース板との組立を迅速かつ精確に完成することができるため、組立の便利性を高めることができると共に、溶接の製造過程を簡単にすることができるという利点がある。
【００２５】
本発明のゴルフクラブヘッドのフェース板の溶接構造によれば、ヘッド本体の充填剤フランジには他に複数個の検査用凹欠部が形成されることにより、仮溶接の前にフェース板の水平の組立を検査することができるという利点がある。
【００２６】
本発明のゴルフクラブヘッドのフェース板の溶接構造によれば、ヘッド本体の充填剤フランジの外側には傾斜面が形成されることにより、高エネルギー溶接によって充填剤フランジを熔融して充填剤に形成された時、充填剤は溶接位置の隙間に回流して充填することができるため、溶接の強度と品質を高めることができるという利点がある。
【００２７】
本発明は、その精神及び必須の特徴事項から逸脱することなく他のやり方で実施することができる。従って、本明細書に記載した好ましい実施例は例示的なものであり、限定的なものではない。
【図面の簡単な説明】
【図１】本発明の実施形態１のゴルフクラブヘッドのフェース板の溶接構造による分解斜視図である。
【図２】本発明の実施形態１のゴルフクラブヘッドのフェース板の溶接構造による組立てられた状態の斜視図である。
【図３】本発明の実施形態２のゴルフクラブヘッドのフェース板の溶接構造による分解された状態の断面図である。
【図４】従来の高エネルギー溶接の製造過程におけるゴルフクラブヘッドのフェース板の溶接構造による組立てられた状態の断面図である。
【図５】従来の高エネルギー溶接の製造過程におけるゴルフクラブヘッドのフェース板の溶接構造による溶接位置の局部拡大図である。
【符号の説明】
１０    ヘッド本体                  １１    開口部
１２    充填剤フランジ            １２１    係止凹欠部
１２２    検査用凹欠部              １２３    傾斜面
１３    充填剤                      ２０    フェース板
２１    支持棒
【図１】
2004201879.tif 000003
【図２】
2004201879.tif 000004
【図３】
2004201879.tif 000005
【図４】
2004201879.tif 000006
【図５】
2004201879.tif 000007